(57)【要約】      （修正有）【課題】個人事業者でも施行でき、かつ、一戸建て用の家屋用に適切な価格で免震工法を施工できる一戸建家屋用の免震架台を提供する。【解決手段】下部本体２と上部本体３からなり、下部本体２は、弾性体樹脂又は鉄板でできた基礎天端部２１と、その上部に円柱状の積層ゴムで出来た延出部２２からなる。また、上部本体３は、弾性体樹脂からなる建物載置部３１と、その下部に円柱状の積層ゴムで出来た突出部３２からなり、円柱状の延出部２２と円柱状の突出部３２を勘合させて、上部本体と下部本体を接続するようにする。【選択図】図１
0003173935.tif 000002
【実用新案登録請求の範囲】
【請求項１】
下部本体２と上部本体３からなり、下部本体２は、弾性体樹脂又は鉄板でできた基礎天端部２１と、その上部に円柱状の積層ゴムで出来た延出部２２からなり、上部本体３は、弾性体樹脂からなる建物載置部３１と、その下部に円柱状の積層ゴムで出来た突出部３２からなり、円柱状の延出部２２と円柱状の突出部３２を勘合させて、上部本体と下部本体を接続するようにしたことを特徴とする一戸建て家屋用免震架台。
【請求項２】
下部本体２の上部本体３を支える積層ゴムである延出部２２は、対抗する２つの逆三角形のくさび形状をした凹部２２Ａ、２２Ｂを備え、上部本体３の下部本体２を支える積層ゴム３２には、下部本体とほぼ同じ形状の対抗する２つの逆三角形のくさび形状をした凸部３２Ａ、３２Ｂを備え、
下部本体２の対抗する積層ゴム２２の２つの逆三角形のくさび形状をした凹部２２Ａ、２２Ｂに、上部本体３の積層ゴム３２の２つの逆三角形のくさび形状をした凸部３２Ａ、３２Ｂ番挿入し、下部本体と上部本体を一体化させて地震時の揺れを相互間で引き合いゆれを緩和したことを特徴とする請求項１記載の一戸建て家屋用免震架台。
【請求項３】
下部本体２と上部本体３と接続部からなり、下部本体２は弾性体樹脂又は鉄板でなる基礎天端部２１、上部本体３は、弾性体樹脂からなる建物載置部３１を備え、下部本体２と上部本体３を円柱状の積層ゴムでなる接続部により接続することで、下部本体２と上部本体３と接続部を一体で形成したことを特徴とする一戸建て家屋用免震架台。
【考案の詳細な説明】
【技術分野】
【０００１】一戸建て用の家屋に使用する免震架台に関する。
【背景技術】
【０００２】地震が頻繁に発生しており、一戸建て用の家屋用に適切な価格で施工できる免震方法が求められている。
【先行技術文献】
【特許文献】
【０００３】
【特許文献１】特開平１０−７３１４６公報
【考案の概要】
【考案が解決しようとする課題】
【０００４】従来の免震装置並びに免震工法の施工費用は高く、一戸建て用の家屋用に適切な価格で施工できる免震工法がない。個人事業者でも施工できる免震工法がない。
【課題を解決するための手段】
【０００５】下部本体２と上部本体３からなり、下部本体２は、弾性体樹脂又は鉄板でできた基礎天端部２１と、その上部に円柱状の積層ゴムで出来た延出部２２からなり、上部本体３は、弾性体樹脂からなる建物載置部３１と、その下部に円柱状の積層ゴムで出来た突出部３２からなり、円柱状の延出部２２と円柱状の突出部３２を勘合させて、上部本体と下部本体を接続するようにしたことを特徴とする一戸建て家屋用免震架台。【０００６】下部本体２の上部本体３を支える積層ゴムである延出部２２は、対抗する２つの逆三角形のくさび形状をした凹部２２Ａ、２２Ｂを備え、上部本体３の下部本体２を支える積層ゴム３２には、下部本体とほぼ同じ形状の対抗する２つの逆三角形のくさび形状をした凸部３２Ａ、３２Ｂを備え、下部本体２の対抗する積層ゴム２２の２つの逆三角形のくさび形状をした凹部２２Ａ、２２Ｂを、上部本体３の積層ゴム３２の２つの逆三角形のくさび形状をした凸部３２Ａ、３２Ｂに挿入し、下部本体と上部本体を一体化させて地震時の揺れを相互間で引き合いゆれを緩和したことを特徴とする請求項１記載の一戸建て家屋用免震架台。【０００７】下部本体２と上部本体３と、接続部からなり、下部本体２は、弾性体樹脂又は鉄板でなる基礎天端部２１、上部本体３は、弾性体樹脂からなる建物載置部３１を備え、下部本体２と上部本体３を円柱状の積層ゴムでなる接続部により接続することで、下部本体２と上部本体３と接続部を一体で形成したことを特徴とする一戸建て家屋用免震架台。
【考案の効果】
【０００８】一戸建て家屋用の免震架台を導入することで短時間で施工ができ、一戸建て住宅における地震時の揺れを緩和できる。
【図面の簡単な説明】
【０００９】
【図１】本考案の免震架台の構成  （ａ）は下部本体の構成  （ｂ）は上部本体の構成  （Ｃ）は下部本体と上部本体を接続し合体させた状態
【図２】本考案の種々な免震架台の構成
【図３】本考案の免震架台の一戸建てへの適用
【考案を実施するための形態】
【００１０】図１は、本考案の免震架台の構成を示す。（ａ）は下部本体の構成  （ｂ）は上部本体の構成  （Ｃ）は上部本体と下部本体を接続し合体させた状態を示す。
本考案の免震架台１は、下部本体２と上部本体３から出来ている。下部本体２は、硬質ゴムなどの弾性体樹脂又は鉄板などできた基礎天端部２１と、その上部に円柱状の積層ゴムで出来た延出部２２からなる。上部本体３は、硬質ゴムなどの弾性体樹脂でなる建物載置部３１と、その下部に円柱状の積層ゴムで出来た突出部３２からなる。延出部２２と突出部３２を勘合させて、（Ｃ）のように上部本体と下部本体を接続する。
下部本体２の上部本体３を支える積層ゴムである延出部２２は、対抗する２つの逆三角形のくさび形状をした凹部２２Ａ、２２Ｂからなる。
上部本体３の下部本体２を支える積層ゴム３２は、下部本体とほぼ同じ形状の対抗する２つの逆三角形のくさび形状をした凸部３２Ａ、３２Ｂからなる。
下部本体２の対抗する積層ゴムである延出部２２の２つの逆三角形のくさび形状をした凹部２２Ａ、２２Ｂ（円柱状の積層ゴムに、２つの台形の凹部が、その底辺が互いに向き合った、逆くさび形状とし、凸部と勘合したときに抜けない形状としている）を、上部本体３の積層ゴム３２の２つの逆三角形のくさび形状をした凸部３２Ａ、３２Ｂ（円柱状の積層ゴムに、２つの台形の凸部が、その底辺が互いに向き合った、逆くさび形状とし、凹部と勘合したときに抜けない形状としている）に挿入し、下部本体と上部本体を一体化させて地震時の揺れを相互間で引き合いゆれを緩和する。下部本体と上部本体の積層ゴムに２つの対抗する位置に逆三角形のくさび形状の凹凸部を設け勘合させることにより、地震で揺れても逆三角形のくさび形状をしているので、下部本体と上部本体が外れにくくなる。
上部本体と下部本体には、建物と基礎を接続するため、アンカーボルトを通すアンカー穴５と、設置位置を調整するための長穴６を備えている。
【００１１】又、別の実施例として、下部本体２と上部本体３と、接続部からなり、下部本体２は、硬質ゴムなどの弾性体樹脂又は鉄板などできた基礎天端部２１と、上部本体３は、硬質ゴムなどの弾性体樹脂からなる建物載置部３１を備え、下部本体２と上部本体３を円柱状の積層ゴム一体として形成してもよい。下部本体２と上部本体３を円柱状の積層ゴムを金型で一体成形するか、下部本体２や上部本体３は円柱状の積層ゴムとは接着剤で接続してもよい。
【００１２】図２は本考案の種々な免震架台の構成を示す。（ａ）は図３のＰ１のように基礎が直線のときで、（ｂ）は図３のＰ４のように基礎が十字路になっているとき、（ｃ）は図３のＰ２のように基礎がＴ字型になっているとき  （ｄ）は図３のＰ３のように直角になっているときの免震架台１の形状を示す。予め、このような形状の免震架台１を用意しておくことで、免震工事を短時間ですますことができる。
【００１３】図３は本考案の免震架台の一戸建てへの適用例である。一戸建の基礎のＰ１、Ｐ２、Ｐ３、Ｐ４に、夫々、図２の（ａ）、（ｃ）、（ｄ）、（ｂ）の形状の免震架台を設置する。
【産業上の利用可能性】
【００１４】一戸建て家屋用の家屋免震架台を提供する。
【符号の説明】
【００１５】１    免震架台
２    下部本体
２１    基礎天端部
２２    延出部
２２Ａ  凹部
２２Ｂ  凹部
３    上部本体
３１    建物載置部
３２    突出部
３２Ａ  凸部
３２Ｂ  凸部
４    コンクリート基礎
５    アンカー穴
６    長穴
【図１】
0003173935.tif 000003
【図２】
0003173935.tif 000004
【図３】
0003173935.tif 000005